(57)【要約】【課題】  搬送経路上で発生した記録材料のジャムの検出及び除去を容易とし、装置のメンテナンス性を向上できる画像記録装置を提供する。【解決手段】  この画像記録装置１は、ロール状の記録材料を収容したカートリッジを装填し、カートリッジから引き出された記録材料を搬送経路上で画像記録部に搬送し画像記録を行う際に、搬送経路上に、記録材料の有無を検出する検出センサと、記録材料を切断するカッタ部と、画像記録部の上流近傍で記録材料の基準位置を検出する基準位置検出センサと、を配置し、搬送経路上における記録材料が検出センサから基準位置検出センサまで所定時間内に搬送されたか否かを監視することで記録材料のジャム発生の検出を行い、ジャムが検出された場合、カッタ部を動作させて記録材料を切断し、記録材料の除去が必要なことを警告部で警告する。【選択図】  図８
2005179019.tif 000002
【特許請求の範囲】
【請求項１】
ロール状の記録材料を収容したカートリッジを装填し、前記カートリッジから引き出された記録材料を搬送経路上で画像記録部に搬送し画像記録を行う画像記録装置において、
前記搬送経路上に、記録材料の有無を検出する検出センサと、記録材料を切断するカッタ部と、前記画像記録部の上流近傍で記録材料の基準位置を検出する基準位置検出センサと、を配置し、
前記搬送経路上における記録材料が前記検出センサから前記基準位置検出センサまで所定時間内に搬送されたか否かを監視することで前記記録材料のジャム発生の検出を行うとともに、前記ジャムが検出された場合、前記カッタ部を動作させて前記記録材料を切断し、前記記録材料の除去が必要なことを警告部で警告することを特徴とする画像記録装置。
【請求項２】
前記カートリッジが複数装填可能であり、前記各カートリッジからの前記搬送経路の合流点よりも下流位置に設けられた搬送ローラ及び前記基準位置検出センサを一体的なユニット構成とし、装置から着脱可能としたことを特徴とする請求項１に記載の画像記録装置。
【請求項３】
前記搬送経路の合流点よりも上流位置に記録材料をガイドする搬送ガイドを着脱可能に構成したことを特徴とする請求項２に記載の画像記録装置。
【請求項４】
前記記録材料のジャムが検出されたとき、前記記録材料を狭持している搬送ローラ、前記カートリッジを装填する装填部のカバーロック機構、装置のメンテナンスカバーのロック機構及び前記カートリッジの遮光シャッタ開閉機構についてそれぞれ解除動作を行った後に装置電源遮断が必要であることを前記警告部で警告することを特徴とする請求項１，２または３に記載の画像記録装置。
【発明の詳細な説明】
【技術分野】
【０００１】
本発明は、ロール状の記録材料に画像を記録する画像記録装置に関するものである。
【背景技術】
【０００２】
従来、感光材料等の記録材料に対し露光を行い画像を記録する画像記録装置において、記録材料をロール状に巻回して収容したカートリッジをセットし、給紙搬送部でカートリッジから所定長さの記録材料を引き出してカッタ部により切断して記録材料を搬送し、画像記録を行っている。この給紙搬送部により記録材料を引き出す際にジャムが発生した場合、ジャム検知と同時にカッタ部及び搬送手段を停止させ、ジャムの発生を操作パネル上にて作業者に通知していた。
【０００３】
給紙搬送経路上にてジャムが発生した場合、作業者が継続して装置を使用するには、ジャムの生じた記録材料を除去するために装置ヘ装填されているカートリッジを取り出す必要がある。その際、給紙経路上でジャムを生じた記録材料は切断動作が行われていないため、カートリッジ内の巻回された記録材料と繋がっておりカートリッジを取り出す際に、むりやり手前に引き出す必要があり、ジャム解除が容易ではなかった。
【０００４】
また、給紙搬送部にてジャムを生じた記録材料をカートリッジ装填部より引き出そうとした際には、記録材料が途中で破れ、そのまま作業者が気付かずに使用した場合、二次搬送ジャムを誘発するおそれがある。
【特許文献１】特開平０５−８８２７１号公報
【発明の開示】
【発明が解決しようとする課題】
【０００５】
本発明は、上述のような従来技術の問題に鑑み、搬送経路上で発生した記録材料のジャムの検出及び除去を容易とし、装置のメンテナンス性を向上できる画像記録装置を提供することを目的とする。
【課題を解決するための手段】
【０００６】
上記目的を達成するために、本発明による画像記録装置は、ロール状の記録材料を収容したカートリッジを装填し、前記カートリッジから引き出された記録材料を搬送経路上で画像記録部に搬送し画像記録を行う画像記録装置において、前記搬送経路上に、記録材料の有無を検出する検出センサと、記録材料を切断するカッタ部と、前記画像記録部の上流近傍で記録材料の基準位置を検出する基準位置検出センサと、を配置し、前記搬送経路上における記録材料が前記検出センサから前記基準位置検出センサまで所定時間内に搬送されたか否かを監視することで前記記録材料のジャム発生の検出を行うとともに、前記ジャムが検出された場合、前記カッタ部を動作させて前記記録材料を切断し、前記記録材料の除去が必要なことを警告部で警告することを特徴とする。
【０００７】
この画像記録装置によれば、カートリッジから引き出された記録材料を検出センサで検出してから搬送経路上で搬送された記録材料を基準位置検出センサで検出するまでの時間に基づいてジャムの検出を行い、ジャム発生を検出すると、カッタ部を動作させて記録材料を切断し、記録材料の除去が必要なことを警告部で警告してユーザに促すことができるので、搬送経路上で発生した記録材料のジャムの検出及び除去が容易となり、装置のメンテナンス性を向上できる。なお、警告部は、警告の表示を行う表示部、警告音を発する警告音発生部、または、警告音を発する警告発光部等から構成できる。
【０００８】
上記画像記録装置において前記カートリッジが複数装填可能であり、前記各カートリッジからの前記搬送経路の合流点よりも下流位置に設けられた搬送ローラ及び前記基準位置検出センサを一体的なユニット構成とし、装置から着脱可能とすることで、ジャムを起こしカッタ部で切断した記録材料を容易に除去可能となる。
【０００９】
また、前記搬送経路の合流点よりも上流位置に記録材料をガイドする搬送ガイドを着脱可能に構成することで、ジャムを起こしカッタ部で切断した記録材料を容易に除去可能となる。
【００１０】
また、前記記録材料のジャムが検出されたとき、前記記録材料を狭持している搬送ローラ、前記カートリッジを装填する装填部のカバーロック機構、装置のメンテナンスカバーのロック機構及び前記カートリッジの遮光シャッタ開閉機構についてそれぞれ解除動作を行った後に装置電源遮断が必要であることを前記警告部で警告することで、各解除動作の後に装置電源遮断を警告部でユーザに促すことによりジャム発生後の処置が容易にできる。
【発明の効果】
【００１１】
本発明の画像記録装置によれば、搬送経路上で発生した記録材料のジャムの検出及び除去を容易とし、装置のメンテナンス性を向上できる。
【発明を実施するための最良の形態】
【００１２】
以下、本発明を実施するための最良の形態について図面を用いて説明する。図１は本実施の形態による画像記録装置全体の外観を示す斜視図である。図２は図１の画像記録装置の内部を正面側から見た図である。図３は図２の画像記録装置の搬送ローラ対やカッタ部等を含む給送部の要部平面図である。図８は図３の給送部を拡大して示す要部平面図である。
【００１３】
図１に示すように、画像記録装置１は、シート状の記録材料に露光し画像を形成する露光ユニット１１と、露光された記録材料を現像する現像ユニット２１と、を備える。
【００１４】
露光ユニット１１は、各種情報の表示を行うとともに、装置全体の操作のためにタッチパネルからなる表示部２と、表示部２の近傍に設けられ記録材料のジャム発生等に関する警告をするためにブザー音等のアラーム音を発生する警告音発生部４８と、表示部２の近傍に設けられ同じく警告のために赤色光や黄色光等が点滅する発光ダイオード（ＬＥＤ）等からなる警告発光部４９と、内部にロール状に巻かれたシート状の記録材料である記録紙を収容したカートリッジ１３を給紙カバー３，４の開放後に装填可能な第１及び第２の装填部１２，１２’と、装置前面から取っ手５ｂを掴むことでメンテナンス時等に開閉可能なように設けられた開閉扉５ａと、を備える。
【００１５】
また、露光ユニット１１の各装填部１２，１２’の給紙カバー３，４及び開閉扉５ａは装置運転時に不測に開放することを防止するために公知のロック機構をそれぞれ有する。
【００１６】
現像ユニット２１は、メンテナンスのために開閉可能な上面パネル６と、前面には、現像処理液等の補充等のために開閉可能に設けられた補給パネル７と、を備える。
【００１７】
図２に示すように、本実施の形態による画像記録装置１の露光ユニット１１は、内部にロール状に巻かれたシート状の記録材料（以下、「記録紙」という。）を収納した専用のカートリッジ１３を装填し収容する装填部１２，１２’と、装填部１２，１２’に装填されたカートリッジ１３から記録紙を回転ドラム１０へと給送する第１の搬送ローラ対４０，４１及び第２の搬送ローラ対４２等を含む給送部１４と、を備える。
【００１８】
図２，図３に示すように、給送部１４は、更に、第１の搬送ローラ対４０と第２の搬送ローラ対４２との間に配置され搬送中の記録紙をガイドする第１のガイド部材４５と、もう１つの第１の搬送ローラ対４１と第２の搬送ローラ対４２との間に配置され搬送中の記録紙をガイドする第２のガイド部材４６と、第１の搬送ローラ対４０と第１のガイド部材４５の入口側との間に配置されたカッタ部４３と、第１の搬送ローラ対４１と第２のガイド部材４６との間に配置されたカッタ部４４と、を備える。第１のガイド部材４５による搬送経路と第２のガイド部材４６による搬送経路とが第２の搬送ローラ対４２で合流する。
【００１９】
図３のように、カートリッジ１３の下部の記録紙の引き出し口には、遮光シャッタ開閉機構１３ａが設けられており、常時はかぶり防止のため閉じて遮光しており記録紙を引き出すとき開放するようになっている。また、装填部１２及び１２’の各カートリッジ１３からの記録紙の出口近傍に検出センサ５１、検出センサ５２をそれぞれ配置し、検出センサ５１、５２は反射型や透過型の光センサから構成でき、記録紙の有無を検出する。
【００２０】
図３，図８のように、第２の搬送ローラ対４２の下流側近傍の基準位置に基準位置検出センサ５８及び比較的幅狭の従動ローラ４７が配置されている。基準位置検出センサ５８は基準位置で記録紙を検出し、記録紙の長さ測定等の基準とする。基準位置検出センサ５８は反射型や透過型の光センサから構成でき、記録紙の先端や後端を検出する。
【００２１】
また、比較的幅狭の従動ローラ４７は記録紙の移動とともに従動回転し、図３、図８の破線で示すようにロータリエンコーダ５４が従動ローラ４７と同軸に連結されており、記録紙の移動により回転する従動ローラ４７の回転量を検出し、この検出した回転量に基づいて第２の搬送ローラ対４２を通過し従動ローラ４７を通過した記録紙の長さを測定できる。
【００２２】
また、従動ローラ４７の下流側に従動ローラ５３が回転ドラム１０の回転に従動回転するように配置され、第２の搬送ローラ対４２、従動ローラ４７から搬送されてきた記録紙が従動ローラ５３と回転ドラム１０との間に挟まれて回転ドラム１０の外周に巻き付く。
【００２３】
第１及び第２の搬送ローラ対４０，４１，４２は、入力した作動パルス信号で動作するパルスモータにより回転駆動され、パルスモータ５６（図６）により回転駆動され、ローラ間に記録紙を挟持して搬送する。
【００２４】
図３のカッタ部４３，４４は、第１の搬送ローラ対４０，４１の下流側近傍でありかつ第１のガイド部材４５、第２のガイド部材４６の各入口側近傍にそれぞれ位置し、記録紙を所定のタイミングで所定長さに切断するようになっている。
【００２５】
上述のように、装填部１２の下部に、上流側から順に、検出センサ５１，搬送ローラ対４０，カッタ部４３及び第１のガイド部材４５が配置され、独立して搬送経路を構成している。同様に、装填部１２’の下部に、上流側から順に、検出センサ５２，搬送ローラ対４１，カッタ部４４及び第２のガイド部材４６が配置され、独立して別の搬送経路を構成している。そして、これら２つの搬送経路が第２の搬送ローラ対４２で合流し、第２の搬送ローラ対４２の下流側に基準位置検出センサ５８及び従動ローラ４７が配置されている。
【００２６】
露光ユニット１１は、更に、搬送ローラ対４２から搬送され従動ローラ４７を通過して従動ローラ５３との間に給送された記録紙を外周面に真空吸引し保持しながら主走査のために回転方向Ｒに回転する回転ドラム１０と、回転ドラム１０上の記録紙に対しＬＥＤ光やレーザ光等の光ビームを露光し画像記録を行う光学ユニット１６と、光学ユニット１６を副走査のために副走査方向（図２の紙面垂直方向）に搬送する副走査部１７と、画像記録後の回転ドラム１０上の記録紙を剥離する剥離部材１８ａと、剥離した記録紙を搬送ローラ対５５へと案内するガイド部１５と、を備える。露光後の記録紙は出口１９及び接続部１９ａを通して現像ユニット２１へと搬送される。
【００２７】
図２の画像記録装置１の現像ユニット２１は、露光ユニット１１から送られた露光後の記録紙について湿式現像を行うもので、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、排出された記録紙を集積する集積部２８と、を備える。
【００２８】
図３のカッタ部について更に図４，図５を参照して説明する。図４は図３のカッタ部の正面図であり、図５は図４のカッタ部の要部上面図である。
【００２９】
図４，図５に示すように、カッタ部４３は、図５の記録紙Ｓの幅方向Ｔまたはその反対方向Ｔ’に移動しながら回転して記録紙を幅方向に直線状に切断するロータリカッタ部４３ａと、ロータリカッタ部４３ａを回転駆動するモータ４３ｃと、ロータリカッタ部４３ａとの間で破線で示す記録紙Ｓを挟むことができるように記録紙Ｓの幅方向に延び固定して配置された直線状の固定部４３ｂと、を備える。
【００３０】
図３〜図５のように、記録紙Ｓは、上流の搬送ローラ対４０からカッタ部４３の入口４３ｄに入り、出口４３ｅから出て、第１のガイド部材４５の入口４５ａへと搬送される。そして、第１のガイド部材４５を通過して更に第２の搬送ローラ４２により回転ドラム１０と従動ローラ５３との間へと搬送されるが、搬送ローラ対４２を通過した記録紙Ｓの長さを図３のロータリエンコーダ５４で測定し、記録紙Ｓが所定長さとなったときに搬送ローラ対４０，４２による搬送を停止し、図５のロータリカッタ部４３ａがモータ４３ｃとともに固定部４３ｂの一端側から方向ＴまたはＴ’に一方向に移動しながら記録紙Ｓを幅方向に直線状に切断する。
【００３１】
なお、もう一方のカッタ部４４はカッタ部４３と同様に構成され、モータ４４ａ（図６）によりロータリカッタ部を回転駆動して、第２の装填部１２’からの記録紙を切断する。
【００３２】
また、図８のように、給送部１４の第１のガイド部材４５を構成するガイド板４５ａは図の破線で示すようにねじ４５ｂで取り付けられており、図の実線のように取り外し可能である。また、給送部１４の第２のガイド部材４６は図の破線で示すように、ねじ４６ａで取り付けられており、図の実線のように取り外し可能である。記録紙がジャムを起こしたとき、第１のガイド部材４５及び第２のガイド部材４６の一部または全部をねじ４５ｂ、４６ａで取り外すことで、カッタ部４３，４４で切断した記録紙を容易に除去できる。
【００３３】
図６に図１の画像記録装置１の制御系のブロック図を示す。図６の画像記録装置１の制御部５０は、中央演算処理装置（ＣＰＵ）等から構成され、検出センサ５１または５２で記録紙を検出してから基準位置検出センサ５８で記録紙を検出するまでの時間を計測し、所定時間以内に基準位置検出センサ５８が記録紙を検出しないときは、基準位置検出センサ５８の上流側で記録紙にジャム（搬送障害）が発生したと判断するようになっている。
【００３４】
図６の制御部５０は、ロータリエンコーダ５４により従動ローラ４７の回転量を測定し記録紙の長さを算出しカッタ部用モータ４３，ｃ４４ａを制御しカッタ部４３，４４で記録紙を所定長さに切断する。また、上述のようにジャム発生と判断されたとき、記録紙を切断する。
【００３５】
また、制御部５０は、パルスモータ５６を制御することで各搬送ローラ対４０，４１，４２の動作を制御し、また、上述のように記録紙のジャム発生の検出結果に基づいて表示部２，警告音発生部４８及び警告発光部４９を制御し、警告音発生部４８からアラーム音を発生させ、また警告発光部４９を点滅発光させ、更に表示部２にその旨を表示することで、記録紙のジャム発生について警告を発する。
【００３６】
次に、図１乃至図６の画像記録装置１の動作について図７のフローチャートを参照して説明する。
【００３７】
まず、図１の画像記録装置１に外部から画像データが入力すると（Ｓ０１）、例えば装填部１２のカートリッジ１３から記録紙を引き出し（Ｓ０２）、その記録紙の先端を検出センサ５１で検出し（Ｓ０３）、搬送ローラ対４０で記録紙を搬送する（Ｓ０４）。
【００３８】
記録紙は第１のガイド部材４５を搬送され、第２搬送ローラ対４２で回転ドラム１０に向けて更に搬送されるが、このとき、第２搬送ローラ対４２の下流側近傍に配置された基準位置検出センサ５８が所定時間内に記録紙を検出したか否かを監視し（Ｓ０５）、検出できない場合は記録紙にジャム発生と判断し、カッタ部４３でモータ４３ｃが作動しジャムを起こした記録紙を切断するとともに（Ｓ０６）、表示部２にジャム発生の旨の表示を行い、警告音発生部４８からアラーム音を発生させ、また警告発光部４９を点滅発光させることで警告を行う（Ｓ０７）。
【００３９】
表示部２には、また、記録紙を狭持している搬送ローラ対４０または４２、装填部１２の給紙カバー３のカバーロック機構、メンテナンス用の開閉扉５ａのロック機構及びカートリッジ１３の遮光シャッタ開閉機構１３ａについてそれぞれ解除動作を行った後に装置電源遮断が必要であることを表示する。
【００４０】
ユーザは、装置電源をオフしてから（Ｓ０８）、給紙カバー３や開閉扉５ａを開きカートリッジ１３を取り外したり第１のガイド部材４５及び第２のガイド部材４６の一部または全部を取り外す等してジャムを生じた記録紙を除去することでジャムを解除する（Ｓ０９）。そして、給紙カバー３や開閉扉５ａを閉め、装置電源をオンすることで、画像記録装置が動作可能に復帰する（Ｓ１０）。
【００４１】
そして、装填部１２または１２’のカートリッジ１３から記録紙を新たに搬送し、回転ドラム１０に向けて搬送する（Ｓ１１）。記録紙は、回転ドラム１０と従動ローラ５３との間で搬送され、回転ドラム１０の周囲に巻き付けられ、吸引ブロア（図示省略）を作動させ回転ドラム１０の内部を負圧にし、記録紙を回転ドラム１０の外周面に真空吸引し保持し、画像データに基づいて光学ユニット１６から光ビームを回転ドラム１０上の記録紙に対し露光する（Ｓ１２）。この露光時に回転ドラム１０を回転方向Ｒに回転させて主走査し、光学ユニット１６を副走査部１７で副走査することで、記録紙に画像記録を行う。
【００４２】
上述の画像記録後、剥離部材１８ａが回転ドラム１０に接近し記録紙を回転ドラム１０から剥離した後、記録紙をガイド部１５に導く。記録紙Ｓがガイド部１５で案内されながら搬送され搬送ローラ対５３に達すると、搬送ローラ対５３により記録紙が出口１９へと送られ、更に現像ユニット２１との間の接続部１９ａに送られる。次に、現像ユニット２１では、出口１９から接続部１９ａを通して送られてきた露光後の記録紙について現像部２３、定着部２４、安定部２５、乾燥部２６で各現像処理を行い（Ｓ１３）、画像記録がされた記録紙を搬送ローラ対２７ａ等により排出部２７から排出し、装置外部の集積部２８に集積する（Ｓ１４）。
【００４３】
以上のように、本実施の形態の画像記録装置によれば、記録紙を検出センサ５１または５２で検出してから基準位置検出センサ５８で検出するまでの時間に基づいてジャムの検出を行うので、簡単な構成でジャムの発生を正確に検出できる。そして、ジャム発生を検出すると、カッタ部４３または４４を動作させて記録紙を切断してから、ジャムを生じた記録紙の除去が必要なことを警告してユーザにジャムの除去を促すので、ジャムを生じた記録紙がカートリッジ１３内の巻回された記録紙と繋がっておらず、カートリッジ１３を装填部１２，１２’から取り出す際にむりやり手前に引き出す必要がなく、ジャム解除が容易となり、装置のメンテナンス性が向上する。
【００４４】
また、第１のガイド部材４５や第２のガイド部材４６等の給送部１４でジャムを生じた記録紙を装填部１２，１２’から引き出す場合にも、記録紙が切断されており、また搬送ローラ対４０または４１の挟持状態を解除しているので、記録紙が途中で破れ、そのまま給送部１４に残って二次搬送ジャムを誘発することも防止できる。
【００４５】
また、記録紙のジャムが検出されたとき、記録紙を狭持している搬送ローラ対４０，４１，４２、カートリッジ１３を装填する装填部１２，１２’の給紙カバー３，４の各ロック機構、装置前面の開閉扉５ａのロック機構及びカートリッジ１３の遮光シャッタ開閉機構１３ａについてそれぞれ解除動作を行った後に、装置電源遮断を行うことの注意を表示部２の警告表示等によりユーザに促すことができ、ユーザが実際に忘れずに解除動作を実行できるので、ジャム発生後の処置が容易にできる。
【００４６】
以上のように本発明を実施の形態により説明したが、本発明はこれらに限定されるものではなく、本発明の技術的思想の範囲内で各種の変形が可能である。例えば、図８の２点鎖線で示すように、第２の搬送ローラ対４２及び基準位置検出センサ５８を一体にユニット５９に構成し、装置に対し図８の紙面垂直方向に着脱可能にしてもよい。これにより、第２の搬送ローラ対４２の近傍で記録紙がジャムを起こしたとき、カッタ部４３，４４で切断した記録材料を容易に除去できる。
【００４７】
また、ジャム発生の警告部として、表示部２，警告音発生部４８及び警告発光部４９で警告を発するようにしたが、いずれか２つまたはいずれか１つで警告を出すようにしてもよいことは勿論である。
【図面の簡単な説明】
【００４８】
【図１】本実施の形態による画像記録装置全体の外観を示す斜視図である。
【図２】図１の画像記録装置の内部を正面側から見た図である。
【図３】図２の画像記録装置の搬送ローラ対やカッタ部等を含む給送部の要部平面図である。
【図４】図３のカッタ部の正面図である。
【図５】図４のカッタ部の要部上面図である。
【図６】図１、図２の画像記録装置１の制御系を示すブロック図である。
【図７】図１乃至図６の画像記録装置１の動作を説明するためのフローチャートである。
【図８】図３の給送部を拡大して示す要部平面図である。
【符号の説明】
【００４９】
１・・・画像記録装置
２・・・表示部
３，４・・・給紙カバー
５ａ・・・開閉扉
１０・・・回転ドラム（画像記録部）
１１・・・露光ユニット
１２，１２’・・・装填部
１３・・・カートリッジ
１３ａ・・・遮光シャッタ開閉機構
１４・・給送部
１６・・・光学ユニット（画像記録部）
２１・・・現像ユニット
４０，４１，４２・・・搬送ローラ対
４３，４４・・・カッタ部
４５・・・第１のガイド部材
４６・・・第２のガイド部材
４８・・・警告音発生部
４９・・・警告発光部
５０・・・制御部
５１，５２・・・検出センサ
５８・・・基準位置検出センサ
５９・・・ユニット
Ｓ・・・記録紙（記録材料）
【図１】
2005179019.tif 000003
【図２】
2005179019.tif 000004
【図３】
2005179019.tif 000005
【図４】
2005179019.tif 000006
【図５】
2005179019.tif 000007
【図６】
2005179019.tif 000008
【図７】
2005179019.tif 000009
【図８】
2005179019.tif 000010